(57)【特許請求の範囲】
【請求項１】
上面に液体入り空間(ｂ)が設置されたボトムディスク(１)と、
前記ボトムディスクの上面に設置され、且つ前記ボトムディスク(１)の周方向に間隔を空けて分布された複数のリブ(２)と
を含み、
隣接する二つの前記リブ(２)とボトムディスク(１)との間には、前記液体入り空間(ｂ)と連通された遠心流路(ａ)が限定されており、前記遠心流路(ａ)を流れる流体を切断するように、前記リブ(２)の前記ボトムディスク(１)の縁に接近する一端に前記リブ(２)の側面部を貫通する第１溝(５)が設置されており、
各前記リブ（２）は弧状又は直線状であり、駆動モーターのモーター軸はアトマイジングディスクと協働して前記アトマイジングディスクを回動させるように駆動することを特徴とするアトマイジングディスク。
【請求項２】
各前記リブ(２)は弧状をなす際、各前記第１溝(５)は対応する前記リブ(２)における前記リブ(２)の曲率中心から離れる側を貫通することを特徴とする請求項１に記載のアトマイジングディスク。
【請求項３】
前記第１溝(５)は前記ボトムディスク(１)に対して傾斜して設置され、前記第１溝(５)の対応する前記リブ(２)の曲率中心から離れる側から前記第１溝(５)の前記リブ(２)の曲率中心に接近する側を向かう方向に沿って、前記第１溝(５)は前記ボトムディスク(１)から徐々に離れることを特徴とする請求項２に記載のアトマイジングディスク。
【請求項４】
前記リブ(２)は直線状をなす際、前記第１溝(５)は前記ボトムディスク(１)に対して傾斜して設置されたことを特徴とする請求項１に記載のアトマイジングディスク。
【請求項５】
各前記第１溝(５)は、前記ボトムディスク(１)に接近する端の開口が前記ボトムディスク(１)から離れる開口より小さいことを特徴とする請求項１〜４のいずれか１項に記載のアトマイジングディスク。
【請求項６】
各前記第１溝(５)は対向する第１壁(５１)と第２壁(５２)とを含み、前記第２壁(５２)は前記第１壁(５１)に対して前記ボトムディスク(１)の上面に接近し、前記第２壁(５２)は前記ボトムディスク(１)の中心から離れる方向と前記ボトムディスク(１)の上面に接近する方向に向って延在されたことを特徴とする請求項５に記載のアトマイジングディスク。
【請求項７】
各前記第１溝(５)は対応する前記リブ(２)の対向する両側を貫通することを特徴とする請求項１〜４のいずれか１項に記載のアトマイジングディスク。
【請求項８】
各前記リブ(２)に前記リブ(２)の厚さ方向に沿って順に配布された複数の前記第１溝(５)が設置されたことを特徴とする請求項１〜４のいずれか１項に記載のアトマイジングディスク。
【請求項９】
前記遠心流路(ａ)の出口端に複数の第２溝(６)が設置され、前記複数の第２溝(６)は前記ボトムディスク(１)の周方向に沿って順に配布されており、前記ボトムディスク(１)の軸方向において、前記第２溝(６)は前記遠心流路(ａ)を流れる流体を切断するように前記ボトムディスク(１)を貫通することを特徴とする請求項１〜４のいずれか１項に記載のアトマイジングディスク。
【請求項１０】
前記ボトムディスク(１)と協働して複数の前記遠心流路(ａ)を覆い、前記液体入り空間(ｂ)と直面する液体入り口(４１)が設置されたカバー体(４)を更に含むことを特徴とする請求項１〜４のいずれか１項に記載のアトマイジングディスク。
【請求項１１】
請求項１〜１０のいずれか１項に記載のアトマイジングディスクと、
モーター軸が前記アトマイジングディスクと協働して前記アトマイジングディスクを回動させるように駆動する駆動モーターとを含むことを特徴とするアトマイジング装置。
【請求項１２】
請求項１１に記載のアトマイジング装置を含むことを特徴とするドローン。
【発明の詳細な説明】
【技術分野】
【０００１】
本発明はドローン技術分野に関し、具体的に、アトマイジングディスク及びそれを有するアトマイジング装置、ドローンに関する。
【背景技術】
【０００２】
関連技術のドローンの作動の際、アトマイジングディスクがモーターに従って高速回転することによって、アトマイジングディスク中の薬液は遠心力の作用でアトマイジングディスクの周面から飛散され、空気中で霧滴に微細化される。しかしながら、関連技術のドローンが作動する際、アトマイジングディスクから排出される霧滴の平均粒径が大きいため、アトマイジングディスクのスプレー範囲が小さくなり、アトマイジングディスクのスプレー効果に影響を与えることになる。
【発明の概要】
【０００３】
本発明は少なくとも従来技術に存在する技術課題の一つを解決することを目的とする。そのために、本発明は排出される霧滴粒径を更に小さくし、スプレーを更に均一にすることで、アトマイジングディスクのスプレー効果を向上させるアトマイジングディスクを提出する。
【０００４】
本発明は、さらに上述のアトマイジングディスクを含むアトマイジング装置を提出する。
【０００５】
本発明は、さらに上述のアトマイジング装置を含むドローンを提出する。
本発明の第１側面の実施例によるアトマイジングディスクは、アトマイジングディスクの上面に液体入り空間が設置されたボトムディスク、ボトムディスクの上面に設置され、且つボトムディスクの周方向に間隔を空けて分布された複数のリブを含み、隣接する二つのリブとボトムディスクとの間には液体入り空間と連通する遠心流路が限定され、遠心流路を流れる流体を切断するように、リブのボトムディスクの縁に接近する一端にリブの側面部を貫通する第１溝が設置されている。
【０００６】
本発明の実施例によるアトマイジングディスクは、リブのボトムディスクの縁に接近する一端にリブの側面部を貫通する第１溝を設置することで、アトマイジングディスクの排出した霧滴粒径を更に小さくし、スプレーを更に均一にして、アトマイジングディスクのスプレー効果を向上させる。
【０００７】
本発明の一部の実施例によると、各リブは弧状をなし、各第１溝は対応するリブにおけるリブの曲率中心から離れる側を貫通する。
【０００８】
本発明の一部の実施例において、第１溝はボトムディスクに対して傾斜して設置され、第１溝の対応するリブの曲率中心から離れる側から第１溝のリブの曲率中心に接近する側に向かう方向は、ボトムディスクから離れる方向である。
【０００９】
本発明の一部の実施例において、各リブは直線状をなす。
本発明の一部の実施例において、第１溝はボトムディスクに対して傾斜して設置されている。
【００１０】
本発明の一部の実施例において、各第１溝は、ボトムディスクに接近する端の開口が第１溝のボトムディスクから離れる開口より小さい。
【００１１】
本発明の一部の実施例において、各第１溝は対向する第１壁と第２壁を含み、第１壁及び第２壁は対応するリブに隣接して第１溝の一端が設置され、第２壁は第１壁に対してボトムディスクの上面に接近し、第２壁は前記ボトムディスクの中心から離れる方向と、前記ボトムディスクの上面に接近する方向に向かって延在されている。
【００１２】
本発明の一部の実施例において、各第１溝は対応するリブの対向する両側を貫通する。
【００１３】
本発明の一部の実施例において、各リブには、リブの厚さ方向に沿って順に配置された複数の第１溝が設置されている。
【００１４】
本発明の一部の実施例において、遠心流路の出口端に複数の第２溝が設置され、複数の第２溝はボトムディスクの周方向に沿って順に配置されており、ボトムディスクの軸方向において、第２溝は遠心流路を流れる流体を切断するようにボトムディスクを貫通する。
【００１５】
本発明の一部の実施例において、アトマイジングディスクは、前記ボトムディスクと協働して複数の遠心流路を覆い、且つ前記液体入り空間と直面する液体入り口が設置されたカバー体を更に含む。
【００１６】
本発明の第２側面の実施例によるアトマイジング装置は、本発明の上述の第１側面の実施例によるアトマイジングディスクと、モーター軸がアトマイジングディスクと協働してアトマイジングディスクを回動させるように駆動する駆動モーターとを含む。
【００１７】
本発明の実施例によるアトマイジング装置は、本発明の上述の第１側面の実施例によるアトマイジングディスクを設置することで、アトマイジング装置の排出した霧滴粒径を更に小さくし、スプレーを更に均一にして、アトマイジングディスクのスプレー効果を向上させる。
【００１８】
本発明の第３側面の実施例によるドローンは、本発明の上述の第２側面の実施例によるアトマイジング装置を含む。
【００１９】
本発明の実施例によるドローンは、本発明の上述の第２側面の実施例によるアトマイジング装置を設置することで、アトマイジング装置の排出した霧滴粒径を更に小さくし、スプレーを更に均一にして、アトマイジングディスクのスプレー効果を向上させる。
【００２０】
本発明の附加的な側面と長所は、以下の説明において部分的に示され、一部は以下の説明において更に明らかになるか、又は本発明の実践によって理解できるようになる。
【００２１】
本願の一部を構成する添付図面は本発明に対する更なる理解を提供するためのもので、本発明の例示的な実施例及びその説明は本発明を解釈するためのものとして、本発明に対する不適切な限定を構成しない。図面において、
本発明の上述及び/又は附加的な形態と長所は、以下の図面を参照して実施例についての説明によって明確になり、理解しやすくなる。
【図面の簡単な説明】
【００２２】
【図１】本発明の第１側面の実施例によるアトマイジングディスクの斜視図である。
【図２】本発明の第１側面の実施例によるアトマイジングディスクの部分斜視図である。
【図３】図２におけるアトマイジングディスクの正面図である。
【図４】図２におけるアトマイジングディスクの平面図である。
【図５】本発明の第１側面の実施例によるカバー体の正面図である。
【図６】図５におけるＡ-Ａ方向の断面図である。
【図７】図３におけるＡ部分の部分拡大図である。
【符号の説明】
【００２３】
１００…アトマイジングディスク、
１…ボトムディスク、２…リブ、３…ストッパーセット、３１…ストッパー、４…カバー体、４１…液体入り口、５…第１溝、５１…第１壁、
５２…第２壁、６…第２溝、ａ…遠心流路、ｂ…液体入り空間。
【発明を実施するための形態】
【００２４】
以下、本発明の実施例について詳細に説明し、前記実施例の例示は図面に示されており、同じ又は類似の符号は、常に同じ又は類似の部材、或いは、同じ又は類似の機能を備える部品を示す。以下、図面を参照して説明する実施例は例示的なものとして、単に本発明を解釈するためのもので、本発明に対する限定と理解してはいけない。
【００２５】
本発明の説明において、用語「中心」、「幅」、「厚さ」、「上」、「下」、「左」、「右」、「底」、「内」、「外」、「周方向」などの示す方位又は位置関係は図面に基づいて示す方位又は位置関係で、本発明に対する説明の便利性及び説明の簡略化のためのものにすぎず、指定される装置又は部品が必ず特定の方位を有することや、特定の方位で構成及び操作することを示したり暗示したりするのではないため、本発明に対する限定と理解してはいけないことを理解すべきである。なお、「第１」、「第２」で限定される特徴は明示的又は暗黙的な一つ又は複数の該当特徴を含むことができる。本発明の説明において、他の説明がない限り、「複数」の意味は二つ又は二つ以上である。
【００２６】
なお、本発明の説明において、他の明確な規定及び限定がない限り、用語「取り付ける」、「つながる」、「接続」に対して広義的に理解すべきで、例えば、固定接続であってもよく、取外し可能な接続であってもよく、又は一体的な接続であってもよい。また、機械接続であってもよく、電気的な接続であってもよい。また、直接つながってもよく、中間媒体を介して間接的につながってもよく、二つの部品の内部の連通であってもよい。当業者にとって、具体的な状況によって上述の用語の本発明での具体的な意味を理解することができる。
【００２７】
以下、図１〜図７を参照して本発明の実施例によるアトマイジングディスク１００について説明する。
【００２８】
図１〜図７に示すように、本発明の実施例によるアトマイジングディスク１００は、ボトムディスク１及び複数のリブ２を含む。
【００２９】
ボトムディスク１の上面に液体入り空間ｂが設置され、複数のリブ２はボトムディスク(１)の上面に設置され、且つボトムディスク１の周方向に間隔を空けて分布されており、隣接する二つのリブ２とボトムディスク１との間で液体入り空間ｂと連通される遠心流路ａを限定する。これから分かるように、アトマイジングディスク１００の作動過程で、液体入り空間ｂ内の液体は、遠心力及び自身重力の作用で液体入り空間ｂから各遠心流路ａへ流動し、流動過程で分裂し噴霧され、最終的に霧滴を形成し、アトマイジングディスク１００を遠心流路ａの出口端から排出される。
【００３０】
遠心流路ａを流れる流体を切断するように、リブ２のボトムディスク１の縁に接近する一端にリブ２の側面部を貫通する第１溝５が設置されている。これから分かるように、液体が液体入り空間ｂから遠心流路ａの出口端に流動する際、第１溝５はもうすぐアトマイジングディスク１００から排出され、且つ遠心力と重力との合力方向に沿って流動する霧滴を切断及び分離させることによって、アトマイジングディスク１００の排出した霧滴粒径を更に小さくし、スプレーを更に均一にすることで、アトマイジングディスク１００のスプレー効果を向上させる。第１溝５は、対応するリブ２の一側を貫通しても、対応するリブ２の両側を貫通してもよく、第１溝５の縁が霧滴と接触できることさえ確保すれば、第１溝５による霧滴の切断・分離機能が実現できることが理解できる。
【００３１】
本発明の実施例によるアトマイジングディスク１００は、リブ２のボトムディスク１の縁に接近する一端にリブ２の側面部を貫通する第１溝５を設置することによって、アトマイジングディスク１００の排出した霧滴粒径を更に小さくし、スプレーを更に均一にすることで、アトマイジングディスク１００のスプレー効果を向上させる。
【００３２】
以下、図１〜図７を参照して本発明の実施例によるアトマイジングディスク１００について詳細に説明する。
【００３３】
図１〜図７に示すように、本発明の実施例によるアトマイジングディスク１００は、ボトムディスク１、複数のリブ２、カバー体４、及び複数のストッパーセット３を含む。
【００３４】
図１〜図４に示すように、ボトムディスク１の上面の中心に液体入り空間ｂが設置されている。複数のリブ２はボトムディスク１の上面に設置され、且つボトムディスク１の周方向に均等に間隔を空けて分布され、隣接する二つのリブ２とボトムディスク１との間で液体入り空間ｂと連通される遠心流路ａを限定する。各リブ２は弧状となっており、具体的に、各リブ２は３次元の螺旋状に形成され、且つ複数のリブ２の湾曲方向は同じである。
【００３５】
具体的に、各リブ２は弧状又は直線状で、各リブ２の一端は液体入り空間ｂに位置され、各リブ２の他端はボトムディスク１の縁に位置される。
【００３６】
図１〜図３、及び図７に示すように、各第１溝５は対応するリブ２のリブ２の曲率中心から離れる、対向する両側を貫通する。即ち、ボトムディスク１の周方向において、各第１溝５は対応するリブ２を貫通する。これにより、各第１溝５は対応するリブ２の両側の遠心流路ａから排出された霧滴を切断し分離させることができる。
【００３７】
具体的に、リブ２は対向して設置された第１側壁と第２側壁とを備え、第１溝５の一端は第１側壁に延在され、第１溝５の他端は第２側壁に延在されている。ここで、第１溝５の溝口は、液体入り空間ｂから離れる方向に向って設置されている。そして、ボトムディスク１上面から離れる方向に沿って第１溝５の開口は徐々に大きくなる。
【００３８】
図１〜図３、及び図７に示すように、第１溝５はストリップ溝で、第１溝５の延在方向はボトムディスク１の上面に対して傾斜している。第１溝５はボトムディスク１に対して傾斜して設置され、第１溝５の対応するリブ２の曲率中心から離れる側から第１溝５のリブ２の曲率中心に接近する側に向かう方向は、ボトムディスク１から離れる方向である。即ち、前記第１溝の対応する前記リブの曲率中心から離れる側から前記第１溝の前記リブの曲率中心に接近する側までの方向に沿って、前記第１溝は徐々に前記ボトムディスクから離れる。
【００３９】
例えば、図３及び図７に示すように、第１溝５のボトムディスク１から離れる方向は対応するリブ２の右下から左上に向かう方向である。具体的に、第１溝５は、前記ボトムディスク１の回動方向に沿って、ボトムディスク１から徐々に離れるように設置されている。
【００４０】
図３及び図７に示すように、各第１溝５は、ボトムディスク１に接近する端の開口がボトムディスク１から離れる開口より小さい。これにより、第１溝５が霧滴に対して切断し分離させる効果を強化できる。
【００４１】
例えば、図３及び図７に示すように、第１溝５はＶ字状になっている。
図３及び図７に示すように、各第１溝５は対向する第１壁５１と第２壁５２を含み、第１壁５１及び第２壁５２は、対応するリブに隣接して第１溝５の一端が設置され、第２壁５２は第１壁５１に対してボトムディスク１の上面に近づき、第２壁５２はボトムディスク１の中心から離れる方向と、ボトムディスク１の上面に近づく方向に向かって延在される。
【００４２】
具体的に、第１壁と第２壁はいずれも弧状壁又は平面状壁である。
図１〜図３、及び図７に示すように、各リブ２上にリブ２の厚さ方向に沿って順に配置された三つの第１溝５が設置されている。これにより、アトマイジングディスク１００から排出された霧滴の粒径を更に小さくし、アトマイジングディスク１００が液体をより均一にスプレーすることで、ひいては、アトマイジングディスク１００のスプレー効果を向上させる。
【００４３】
図１〜図４、及び図７に示すように、遠心流路ａの出口端に複数の第２溝６が設置され、複数の第２溝６はボトムディスクの周方向に沿って順に配置されて、ボトムディスク１の軸方向において、第２溝６は遠心流路ａを流れる流体を切断するようにボトムディスク１を貫通する。これからわかるように、液体が液体入り空間ｂから遠心流路ａの出口端まで流動した際、複数の第２溝(６)はもうすぐアトマイジングディスク１００から排出されて落下する霧滴を切断し分離させることができるため、アトマイジングディスク１００の排出した霧滴粒径を更に小さくし、スプレーを更に均一にすることで、アトマイジングディスク１００のスプレー効果を向上させる。
【００４４】
液体入り空間ｂから離れる方向に沿って、第２溝６の開口は徐々に大きくなることが好ましい。第２溝６は二つの溝壁によって構成されたＶ字状の溝で、第２溝６の二つの溝壁はいずれも弧状溝壁又は平面状溝壁である。
【００４５】
図５及び図６に示すように、ボトムディスク１と協働して複数の遠心流路ａを覆うように、カバー体４はボトムディスク１の外周壁の形状と同じである。さらに、遠心流路ａに対してある程度の密封の作用を果たす。液体が遠心流路ａ内で流動する際、カバー体４の内壁が流動する液体に対してある程度の阻止作用を果たすため、液体の流動方向とカバー体４の内壁の母線とが相接するようになる。これとともに、コアンダ効果から分かるように、流体粘性の作用で、アトマイジングディスク１００内の液体はボトムディスク１の表面に沿って流動する。これにより、カバー体４とボトムディスク１との協働作用で霧滴がアトマイジングディスク１００から排出される際の初速度を向上させることができ、霧滴の流動方向を更に一致させ、ひいては、霧滴の制御可能性を増加することができ、霧滴が落下する際の横風の影響による漂流の発生現象を減らすことで、アトマイジングディスク１００のスプレー効果を向上させる。
【００４６】
カバー体４に、液体入り空間ｂと直面する液体入り口４１が設置されている。これから分かるように、利用者はスプレーすべきの液体を液体入り口４１を介してアトマイジングディスク１００の液体入り空間ｂ内に流入させることができる。
【００４７】
図３に示すように、ボトムディスク１は軸対称体に形成されて、ボトムディスク１の母線の曲率中心は、ボトムディスク１の母線がボトムディスク１の中心に接近する側に位置し、即ち、ボトムディスク１の母線は円錐曲線に形成されている。これから分かるように、ボトムディスク１の構造が簡単で安定である。液体入り空間ｂ内の液体を遠心流路ａに沿ってアトマイジングディスク１００から排出させる際、遠心力の作用でより大きい初速度を得て、アトマイジングディスク１００の排出した霧滴のスプレー面積を拡大して、霧滴が落下する際の横風の影響による漂流の発生現象を減らすことで、アトマイジングディスク１００のスプレー効果を向上させる。
【００４８】
図１、図２及び図４に示すように、複数のストッパーセット３は液体入り空間ｂ内に設置され、ボトムディスク１の径方向に間隔を空けて設置されている。各ストッパーセット３は複数のストッパー３１を含み、各ストッパーセット３の複数のストッパー３１は開口を有する環状構造に配列されるようにボトムディスク１の周方向に沿って均一に間隔を空けて分布され、隣接する二つのストッパーセット３の開口はボトムディスク１の周方向に位置がずれるように設置されている。これにより、液体入り空間ｂ内の液体がまずアトマイジングディスク１００による遠心力の作用で液体入り空間ｂ内で均一に広がるようにし、それから、液体が各ストッパーセット３によって限定された開口に沿って複数の遠心流路ａへ流動するようになって、アトマイジングディスク１００の排出した霧滴粒径を更に均一させ、霧滴の粒径分布を更に集中させることで、アトマイジングディスク１００のスプレー効果を向上させる。
【００４９】
ボトムディスク１、複数のリブ２及び複数のストッパーセット３は一体に成形されたプラスチック材質の部品に形成されている。これにより、アトマイジングディスク１００の製造コストを低減させることができ、アトマイジングディスク１００の製造を簡単に、便利にすることができる。これとともに、アトマイジングディスク１００の製造過程で、断面がＵ字状をなす遠心流路(ａ)を設置することで、溶融状態のプラスチックの流動及び成形を容易にするため、ダイシンキングしやすくなる。
【００５０】
図３及び図７に示すように、各遠心流路ａの断面はＵ字状をなす。これから分かるように、遠心流路ａの構造が簡単であり、液体入り空間ｂ内の液体に固体粒子が混合された際、断面がＵ字状をなす遠心流路ａは、固体粒子が順調に遠心流路ａを通過してアトマイジングディスク１００から排出されることに寄与するため、アトマイジングディスク１００の作業効率をある程度向上させることができるとともに、利用者がアトマイジングディスク１００を容易に清掃を行うことができて、アトマイジングディスク１００の製造過程でダイシンキングしやすくなる。
【００５１】
図２〜図４に示すように、各遠心流路ａは弧状の流路に形成されている。弧状流路であるため、液体入り空間ｂ内の液体は長い加速距離を有し、アトマイジングディスク１００の排出した霧滴は大きい遠心力と初速度を得ることができ、ひいては、アトマイジングディスク１００の排出した霧滴の粒径を比較的に集中的に分布させ、霧滴の平均粒径を小さくし、アトマイジングディスク１００の排出した霧滴のスプレー面積を拡大し、霧滴が落下する際の横風の影響による漂流の発生現象を減らすことで、アトマイジングディスク１００のスプレー効果を向上させる。
【００５２】
図２と図４に示すように、各遠心流路ａの幅は、ボトムディスク１の中心からボトムディスク１の縁までの方向において徐々に大きくなる。これにより、アトマイジングディスク１００のスプレー範囲をある程度拡大し、ひいては、アトマイジングディスク１００の作業効率を向上させることができる。
【００５３】
図２〜図４に示すように、ボトムディスク１の周方向において、複数の遠心流路ａの構造及びサイズは同じである。これにより、アトマイジングディスク１００の構造が簡単で、安定である。これは複数の遠心流路ａに沿ってアトマイジングディスク１００から排出される霧滴の粒径が同じで、且つ初速度が同じであることを確保するのに寄与し、ひいては、アトマイジングディスク１００の排出した霧滴を更に均一にスプレーさせ、アトマイジングディスク１００のスプレー効果を向上させることに寄与する。
【００５４】
以下、本発明の実施例によるアトマイジングディスクの組み立て過程について説明する。
カバー体４が複数の遠心流路ａを覆うように、カバー体４をボトムディスク１上に取り付ける。
【００５５】
以下、本発明の実施例によるアトマイジングディスク１００の有益な効果について簡単に説明する。
本発明の実施例によるアトマイジングディスク１００は、アトマイジングディスク１００製造過程のダイシンキングを簡単にすることができ、固体粒子が順調に遠心流路ａを通過してアトマイジングディスク１００から排出されることに寄与し、利用者がアトマイジングディスク１００を容易に清掃することができる。これとともに、アトマイジングディスク１００からの霧滴の粒径を集中的に分布させ、平均粒径を小さくし、初速度を大きくして、アトマイジングディスク１００のスプレー面積を拡大することができ、霧滴が落下する際の横風の影響による漂流の発生現象を減らすことで、アトマイジングディスク１００のスプレー効果を向上させる。
【００５６】
以下、本発明の実施例によるアトマイジングディスクの他のいくつかの変形態様を簡単に説明する。
１、各リブ２は直線状をなし、第１溝５はボトムディスク１に対して傾斜して設置されている。
２、各第１溝５は対応するリブ２におけるリブ２の曲率中心から離れる側を貫通する。
【００５７】
以下、本発明の実施例によるアトマイジング装置について説明する。
本発明の実施例によるアトマイジング装置(未図示)は、本発明の上述の実施例によるアトマイジングディスク１００と駆動モーター(未図示)を含む。ここで、駆動モーターのモーター軸(未図示)はアトマイジングディスク１００と協働してアトマイジングディスク１００を回動させるように駆動する。これから分かるように、アトマイジングディスク１００は駆動モーターの駆動で回転することによって、液体入り空間ｂ内の液体を遠心流路ａに沿って流動させ、徐々に霧滴を形成し、アトマイジングディスク１００から排出させる。
【００５８】
本発明の実施例によるアトマイジング装置は、本発明の上述の実施例によるアトマイジングディスク１００の設置によって、アトマイジング装置の排出した霧滴粒径を更に小さくし、スプレーを更に均一にすることによって、アトマイジング装置の作業効果を向上させる。
【００５９】
以下、本発明の実施例によるドローンについて説明する。
本発明の実施例によるドローンは、本発明の上述の実施例によるアトマイジング装置を含む。
本発明の実施例によるドローンは、本発明の上述の実施例によるアトマイジング装置を設置することによって、アトマイジング装置の排出した霧滴粒径を更に小さくし、スプレーを更に均一にすることで、アトマイジング装置の作業効果を向上させる。
【００６０】
本明細書の説明において、参照用語の「一つの実施例」、「いくつかの実施例」、「例示的な実施例」、「例示」、「具体的な例示」、又は「いくつかの例示」などの説明はこの実施例又は例示と組み合わせて説明された具体的な特徴、構造、材料又は特性が本発明の少なくとも一つの実施例又は例示に含まれることを意味する。本明細書において、上述の用語に対する例示的な表現は必ず同じ実施例又は例示を示すことではない。そして、説明された具体的な特徴、構造、材料又は特性を任意の一つ又は複数の実施例又は例示において適当な方式で組み合わせることができる。
【００６１】
本発明の実施例を例示及び説明したが、当業者にとって、本発明の原理及び要旨を逸脱しない限りこれらの実施例に対して様々な変化、修正、置き換え及び変形を行うことができ、本発明の範囲は請求項及びその均等物によって限定されることが理解できる。
【図１】
0006906064.tif 000002
【図２】
0006906064.tif 000003
【図３】
0006906064.tif 000004
【図４】
0006906064.tif 000005
【図５】
0006906064.tif 000006
【図６】
0006906064.tif 000007
【図７】
0006906064.tif 000008